(57)【要約】【課題】アーム部における強度を維持しつつロータの可及的な軽量化を図った魚釣用スピニングリールを提供する。【解決手段】本発明の魚釣用スピニングリールは、一対のアーム部３ｂの先端部に釣糸案内部３ｄを具備する支持部材３ｃを装着したロータ３と、ロータ３の回転によって釣糸案内部３ｄを介して釣糸が巻回されるスプール５とを有している。そして、一対のアーム部の側部からロータの本体部３ａの後部に向けて延出する補強部材１０を備えており、補強部材１０は、アーム部の基部側に移行するに連れてアーム部から離間してロータ３の本体部３ａに接続されている。【選択図】図１
2011004706.tif 000002
【特許請求の範囲】
【請求項１】
本体部の両側に対向して一対のアーム部を形成し、アーム部の先端部に釣糸案内部を具備する支持部材を装着したロータを有し、前記ロータの回転によって前記釣糸案内部を介してスプールに釣糸を巻回する魚釣用スピニングリールにおいて、
前記一対のアーム部の側部から前記ロータの本体部の後部に向けて延出する補強部材を備えており、
前記補強部材は、アーム部の基部側に移行するに連れてアーム部から離間して前記ロータの本体部に接続されていることを特徴とする魚釣用スピニングリール。
【請求項２】
前記補強部材は、前記一対のアーム部間において、リール本体側に向けて凸状に湾曲形成されており、その中間部が前記ロータの本体部の後部に接続されていることを特徴とする請求項１に記載の魚釣用スピニングリール。
【請求項３】
本体部の両側に対向して一対のアーム部を形成し、アーム部の先端部に釣糸案内部を具備する支持部材を装着したロータを有し、前記ロータの回転によって前記釣糸案内部を介してスプールに釣糸を巻回する魚釣用スピニングリールにおいて、
一方のアーム部の側部と他方のアーム部の側部とを接続する補強部材を備えており、
前記補強部材は、アーム部の基部側に移行するに連れてアーム部から離間すると共に、リール本体側に向けて凸状となるように前記一対のアーム部間に橋設されていることを特徴とする魚釣用スピニングリール。
【請求項４】
前記補強部材は、前記一対のアーム部それぞれの両側部に設けられており、両アーム部が対向する方向の側面視でアーム部の先端から基部側に移行するに連れて、各補強部材は次第に離間することを特徴とする請求項１から３のいずれか１項に記載の魚釣用スピニングリール。
【請求項５】
前記ロータの本体部には、開口及び／又は切欠きが形成されていることを特徴とする請求項１から４のいずれか１項に記載の魚釣用スピニングリール。
【請求項６】
前記補強部材の内、少なくとも中間部は、前記スプールが往復動して最もリール本体側に移動した際、スプールのスカート部の後縁部よりもリール本体側に位置していることを特徴とする請求項２から５のいずれか１項に記載の魚釣用スピニングリール。
【発明の詳細な説明】
【技術分野】
【０００１】
本発明は、ハンドルの回転操作に連動回転するロータ部分に特徴を有する魚釣用スピニングリールに関する。
【背景技術】
【０００２】
通常、魚釣用スピニングリールは、釣糸案内部を備えたロータと、釣糸が巻回されるスプールとを備えており、ハンドルの回転操作により前記ロータを回転させると同時に、前記スプールを往復動させる構成となっている。前記ロータには、円筒状に構成された本体部の後部両側に一対のアーム部が対向形成されており、一方のアーム部に設けられた前記釣糸案内部を介して、前後動するスプールに釣糸が巻回されるようになっている。
【０００３】
上記した構成の魚釣用スピニングリールでは、実際に魚の当たりがあってハンドルを巻き取る際には、釣糸に大きな負荷が掛かっており、巻き取り時にロータのアーム部が径方向内方に変形して、スプールの外周に当たりが発生する可能性がある。また、ドラグ繰り出し時に、前記アーム部の変形によって脈動が発生してしまい、スムーズな釣糸の繰り出しが行えない等の問題がある。
【０００４】
そこで、例えば、特許文献１には、一対のアーム部の先端部側に、帯状の補強部材をロータの外周と所定の距離をあけて釣糸放出位置側に円弧状に橋設した魚釣用スピニングリールが開示されている。
【先行技術文献】
【特許文献】
【０００５】
【特許文献１】特許第２８９４４２２号
【発明の概要】
【発明が解決しようとする課題】
【０００６】
しかし、上記した魚釣用スピニングリールは、前後動するスプールの外周から所定の距離をおいて円弧状の補強部材を橋設しているため、一対のアーム部を補強するには十分ではなく、また、補強部材がスプールの外周面に対して径方向外方に大きく張り出すことから、ロータの可及的な軽量化を図ることはできない。
【０００７】
本発明は、上記した問題に着目してなされたものであり、アーム部における強度を維持しつつロータの可及的な軽量化を図った魚釣用スピニングリールを提供することを目的とする。
【課題を解決するための手段】
【０００８】
上記した目的を達成するために、本発明は、本体部の両側に対向して一対のアーム部を形成し、アーム部の先端部に釣糸案内部を具備する支持部材を装着したロータを有し、前記ロータの回転によって前記釣糸案内部を介してスプールに釣糸を巻回する魚釣用スピニングリールにおいて、前記一対のアーム部の側部から前記ロータの本体部の後部に向けて延出する補強部材を備えており、前記補強部材は、アーム部の基部側に移行するに連れてアーム部から離間して前記ロータの本体部に接続されていることを特徴とする。
【０００９】
上記した構成の魚釣用スピニングリールによれば、アーム部の側部とロータの本体部の後部との間を補強部材で接続しているため、釣糸の張力によってアーム部に大きな負荷が作用しても、その負荷は補強部材を介して分散することができ、アーム部の変形等が防止される。また、補強部材は、アーム部の基部側に移行するに連れてアーム部から離間してロータの本体部に接続されるため、アーム部の基部の厚肉化が防止され、ロータの可及的な軽量化を図ることが可能となる。
【００１０】
また、上記した目的を達成するために、本発明は、本体部の両側に対向して一対のアーム部を形成し、アーム部の先端部に釣糸案内部を具備する支持部材を装着したロータを有し、前記ロータの回転によって前記釣糸案内部を介してスプールに釣糸を巻回する魚釣用スピニングリールにおいて、一方のアーム部の側部と他方のアーム部の側部とを接続する補強部材を備えており、前記補強部材は、アーム部の基部側に移行するに連れてアーム部から離間すると共に、リール本体側に向けて凸状となるように前記一対のアーム部間に橋設されていることを特徴とする。
【００１１】
上記した構成の魚釣用スピニングリールによれば、一方のアーム部の側部と他方のアーム部の側部との間に補強部材を橋設しているため、釣糸の張力によってアーム部に大きな負荷が作用しても、その補強部材で応力の分散が図れ、アーム部を効果的に補強して変形等することが防止される。また、補強部材は、アーム部の基部側に移行するに連れてアーム部から離間してリール本体側に向けて凸状となるように橋設されているため、アーム部の基部の厚肉化が防止され、ロータの可及的な軽量化を図ることが可能となる。
【発明の効果】
【００１２】
本発明によれば、アーム部における強度を維持しつつロータの可及的な軽量化を図った魚釣用スピニングリールが得られる。
【図面の簡単な説明】
【００１３】
【図１】本発明に係る魚釣用スピニングリールの第１の実施形態を示す図であり、全体構成を示す図。
【図２】図１に示す魚釣用スピニングリールのロータ部分を示す図。
【図３】図２に示すロータの両アーム部が対向する方向の側面図。
【図４】図２のＡ−Ａ線に沿った断面図。
【図５】図２示すロータの平面図。
【図６】本発明に係る魚釣用スピニングリールの第２の実施形態を示す図であり、ロータ部分を示す図。
【図７】図６のＢ−Ｂ線に沿った断面図。
【図８】図６に示すロータの主要部の斜視図。
【図９】本発明に係る魚釣用スピニングリールの第３の実施形態を示す図であり、ロータ部分の断面図。
【図１０】図９に示すロータの平面図。
【図１１】ロータ部分を示す図であり、補強部材の第１の変形例を示す図。
【図１２】ロータ部分を示す図であり、補強部材の第２の変形例を示す図。
【発明を実施するための形態】
【００１４】
以下、図面を参照しながら本発明に係る魚釣用スピニングリールの実施形態について説明する。  
図１から図５は本発明の第１の実施形態を示す図であり、図１は魚釣用スピニングリールの全体構成を示す図、図２はロータ部分を示す図、図３はロータの両アーム部が対向する方向の側面図、図４は図２のＡ−Ａ線に沿った断面図、そして、図５はロータの平面図である。
【００１５】
本実施形態の魚釣用スピニングリールのリール本体１には、回転操作されるハンドル２と、ハンドル２の回転操作によって回転駆動されるロータ３と、ロータ３の回転駆動と同期して前後動されるスプール５が設けられている。
【００１６】
前記リール本体１内には、前記ハンドル２が装着されたハンドル軸２ａが軸受を介して回転可能に支持されており、ハンドル軸２ａには、ハンドル２の回転操作を、前記ロータ３に伝達すると共に、前記スプール５に伝達する動力伝達機構６が係合されている。
【００１７】
前記動力伝達機構６は、ハンドル軸２ａに一体回転可能に装着される駆動歯車（ドライブギヤ）７と、ハンドル軸２ａに対して直交する方向に延出する回転軸筒８とを備えている。そして、回転軸筒８の基端側には、駆動歯車７と噛合するピニオン８ａが形成されており、先端部には、ロータナット９を螺合することで、前記ロータ３が回転軸筒８に対して取り付けられている。
【００１８】
また、前記回転軸筒８の内部には、前部に、釣糸が巻回される前記スプール５を保持したスプール軸５ａが挿通されている。このスプール軸５ａには、公知のオシレーティング機構が連結されており、前記ハンドル軸２ａがハンドル２の回転操作によって回転されたとき、スプール軸５ａは軸方向に沿って前後往復駆動される。
【００１９】
上記した構成により、前記ハンドル２を回転操作することで、前記ロータ３は、前記駆動歯車７及びこれに噛合するピニオン８ａ（回転軸筒８）を介して回転駆動され、かつ前記スプール５は、前記オシレーティング機構を介して前後に往復駆動される。この場合、ロータ３には、以下に詳述するように、釣糸案内部が設けられており、スプール５の釣糸巻回胴部５ｂには、ロータ３に設けられた釣糸案内部を介して釣糸が均等に巻回される。
【００２０】
前記ロータ３は、略円筒状に形成された本体部３ａを備えており、その両側には、略１８０°間隔おいて一対のアーム部３ｂが形成されている。各アーム部３ｂは、図２に示すように、本体部３ａの後部（リール本体側）から径方向外方に突き出した連結部３ｂ´と共に本体部３ａに一体形成されており、軸方向に延出している。これにより、本体部３ａと各アーム部３ｂとの間には隙間が形成され、この部分に、図１に示すように、スプール５のスカート部５ｃが位置するようになっている。
【００２１】
前記一対のアーム部３ｂの先端には、公知のように、支持部材３ｃが支軸３ｃ´を中心として釣糸巻き取り位置と釣糸放出位置との間で反転可能に支持されており、一方の支持部材３ｃの先端部には、釣糸案内部（ラインローラ）３ｄが設けられている。また、両支持部材３ｃの間には、ベール３ｅが設けられており、支持部材３ｃが釣糸放出位置から釣糸巻き取り位置へ反転した際、釣糸をピックアップして釣糸案内部３ｄへ案内する。なお、本発明においては、ベール３ｅは設けられない構成（ベールレスタイプ）であっても良い。
【００２２】
前記一対のアーム部３ｂの内、一方の内部には、前記支持部材３ｃを釣糸巻き取り位置と釣糸放出位置との間で反転させて振り分け保持する反転保持機構（図示せず）が配設されている。また、前記一対のアーム部３ｂには、補強部材１０が設けられている。
【００２３】
以下、本実施形態の補強部材１０の構成について詳細に説明する。  
補強部材１０は、図３に示すように、一対のアーム部３ｂの側部からロータ３の本体部３ａの後部に向けて延出すると共に、本体部３ａに接続されている。この場合、補強部材１０は、図３に示すように、一対のアーム部３ｂそれぞれの両側部に設けておくことが好ましく、両側部に設けられた補強部材１０は、好ましくは略同一の形状とされ、アーム部３ｂの側部の前部（支持部材３ｃが設けられる部分）から基部に向かって延出し、基部側に移行するに連れて、次第に離間する形状となっている。すなわち、両アーム部３ｂが対向する方向の側面視において、略ハの字型となる形状に形成されており、これによりアーム部３ｂの基部の両サイドでは、補強部材１０との間で隙間Ｇが存在するようになっている。なお、隙間Ｇは、側面視において次第に拡がるようになっている。
【００２４】
また、本実施形態では、補強部材１０は、図２に示すように、一対のアーム部３ｂ間で橋設された構造となっており、その中間部１０Ａがロータ３の本体部３ａの後部に一体形成で接続されている（図２及び図４参照）。このため、補強部材１０は、図２に示すように、一対のアーム部３ｂ間において、切れることなく連続形成されており、リール本体側に向けて凸状となっている。
【００２５】
なお、本実施形態では、図２に示すように、補強部材１０は、一対のアーム部３ｂ間でリール本体側に向けて湾曲した形状となっており、少なくとも最下端部分（中間部１０Ａの領域）については、スプール５が往復動して最もリール本体側に移動した際、スプールのスカート部５ｃの後縁部（Ｐで示すライン）よりもリール本体側に位置するようにしている。より具体的には、ラインＰで示すように、スプール５が最もリール本体側に移動したとき、スカート５ｃの後端の両側の一部が重なる程度になっており、スプール５が往復動しても、その前後動の状況は、補強部材１０によって遮られることはなく、容易に視認できるようになっている。
【００２６】
上記した構成の魚釣用スピニングリールによれば、アーム部３ｂの側部とロータ３の本体部３ａの後部との間を補強部材１０で接続したことで、釣糸の張力によってアーム部３ｂに大きな負荷が作用しても、補強部材１０を通じて応力を分散させることが可能となりアーム部の変形等を防止することが可能となる。また、図３から図５に示すように、アーム部３ｂの基部を厚肉化することなく、補強部材１０を梁構造のようにして、適度に隙間Ｇのような空隙部を設けておくことができるため、アーム部の強度維持を図りながら、可及的な軽量化を図ることが可能となる。
【００２７】
特に、本実施形態では、補強部材１０は、リール本体１側に向けて凸状（湾曲状）になるようにアーム部３ｂ間に橋設されると共に、ロータ３の本体部３ａの後部に接続されているため、アーム部に対して径方向に負荷が加わった際、応力を効果的に分散して応力集中を回避できるようになり、アーム部をより効果的に補強することができる。また、補強部材１０を、アーム部３ｂの両側部に設けているため、アーム部３ｂの補強をより効果的に向上することが可能になると共に、ロータ３の回転バランスの向上が図れる。
【００２８】
さらに、両補強部材１０を、アーム部３ｂの両側部に対しアーム部の基部側に移行するに連れて互いに離間させて、側面視で略ハの字状に形成したことで、アーム部がいわゆる先細形状となり、糸フケや放出時の糸縒れ等によってアーム部へ釣糸の絡み付きが発生しても容易に前方に抜け易くなり、トラブルを解消することが可能となる。また、湾曲状の補強部材１０を、スプール５のスカートの下縁よりもさらに下方側に突出させたことにより、ロータ部分の形状が変化し、外観の向上を図ることが可能となる。
【００２９】
次に、本発明の別の実施形態について説明する。  
以下に説明する実施形態では、上記した実施形態と異なる部分について説明し、同一の部分については、同一の参照符号を付し、詳細な説明については省略する。
【００３０】
図６から図８は、本発明に係る魚釣用スピニングリールの第２の実施形態を示す図であり、図６はロータ部分を示す図、図７は図６のＢ−Ｂ線に沿った断面図、そして、図８は図６に示すロータの主要部の斜視図（アーム部のカバーを外した状態を示す）である。
【００３１】
本実施形態では、ロータ３の本体部３ａに、開口２０及び切欠き２１を形成している。開口２０は、矩形状で、アーム部３ｂが形成される位置に対して略９０°の対向する位置に形成されており、開口２０の両サイドに、三角形状の切欠き２１が形成されている。このように、開口２０及び切欠き２１は、図７に示すように、アーム部３ｂの強度を低下させないように、アーム部形成位置と異なる位置に形成されている。そして、開口２０の下端位置に、前記補強部材１０の中間部１０Ａが一体的に連結されている。
【００３２】
このように、アーム部３ｂ間に、リール本体側に向けて凸状に湾曲させた補強部材１０を設けることで、アーム部３ｂの補強を図りながら、本体部３ａの各所に空隙部が存在したフレーム構造にすることが可能となり、ロータ３を極力軽量化することが可能となる。なお、前記開口２０や切欠き２１の形状、及び形成位置については、適宜変形することができ、いずれか一方のみを形成しても良い。また、外観性を考慮して、開口や切欠きの形状や位置を変形しても良い。  
又、ロータ３の本体部３ａ内に配置されるリール本体１の前部には、図１で示される防水キャップＫが装着されており、リール本体１の前部と回転軸筒８との間に設けられる軸受部や逆転防止機構等を防水収容できるように構成されている。
【００３３】
図９及び図１０は、本発明に係る魚釣用スピニングリールの第３の実施形態を示す図であり、図９はロータ部分の断面図、図１０は図９に示すロータの平面図である。
【００３４】
上記した実施形態では、補強部材１０の中間部１０Ａを、ロータ３の本体部３ａの後部に接続したが、本実施形態では、湾曲状の補強部材１０をロータ３の本体部３ａの後部に接続することなく離間させ、アーム部３ｂ間に橋設している。
【００３５】
このような構成でも、アーム部３ｂに対して径方向に負荷が加わった際、その負荷を、補強部材１０を介して効果的に分散することができるため、アーム部３ｂを効果的に補強することが可能となる。また、このような構成においても、ロータ３の本体部３ａに、上記した実施形態のような開口や切欠きを形成しておいても良い。
【００３６】
以上、本発明の実施形態について説明したが、本発明は上記した実施形態に限定されることはなく、種々変形することが可能である。
【００３７】
上記した補強部材１０については、その形状については、適宜変形することが可能である。例えば、図１１に示すように、リール本体側に向けて凸状に形成するに際しては、湾曲状ではなく、略Ｖ字状にする等、直線状にしても良い。また、補強部材１０の表面については、平坦面にするのではなく、例えば、図１２に示すように、中間部を厚肉部１０Ｂとし、この部分をロータ３の本体部３ｂの後部に接続しても良い。このように構成することで、接続部分の強度の向上を図ることが可能となる。さらに、補強部材１０の肉厚についても適宜変形することができ、ロータ３の本体部に対する接続位置についても、スプール５の前後動に支障を与えなければ、適宜変形することが可能である。
【００３８】
また、上記した補強部材は、連続的に形成してアーム部間に橋設した構成を示したが、例えば、中間部分を非連続にして、その端部位置を本体部３ｂに接続するような構成であっても良い。
【符号の説明】
【００３９】
１  リール本体
３  ロータ
３ａ  本体部
３ｂ  アーム部
３ｃ  支持部材
３ｄ  釣糸案内部
５  スプール
５ｃ  スカート部
１０  補強部材
１０Ａ  中間部
【図１】
2011004706.tif 000003
【図２】
2011004706.tif 000004
【図３】
2011004706.tif 000005
【図４】
2011004706.tif 000006
【図５】
2011004706.tif 000007
【図６】
2011004706.tif 000008
【図７】
2011004706.tif 000009
【図８】
2011004706.tif 000010
【図９】
2011004706.tif 000011
【図１０】
2011004706.tif 000012
【図１１】
2011004706.tif 000013
【図１２】
2011004706.tif 000014